(57)【要約】【課題】  光学式ピックアップよりディスクに対して信号の記録再生動作を行う光ディスク記録再生装置のレーザー出力設定方法を提供する。【解決手段】  ディスクに設けられている試し書き領域へテスト信号をレーザー出力を変更しながら記録するとともに記録されたテスト信号の記録品位を検出することにより記録動作に適したレーザー出力を設定し、且つ消去レベル値、ピークレベル値及びボトムレベル値よりなるマルチパルスにてレーザーダイオードを駆動することにより記録動作を行うように構成し、レーザー出力の設定動作を消去レベル値を固定した状態でピークレベル値を変更することによって行う。【選択図】    図１
2005038543.tif 000002
【特許請求の範囲】
【請求項１】
ディスクに設けられている試し書き領域へテスト信号をレーザー出力を変更しながら記録するとともに記録されたテスト信号の記録品位を検出することにより記録動作に適したレーザー出力を設定し、且つ消去レベル値、ピークレベル値及びボトムレベル値よりなるマルチパルスにてレーザーダイオードを駆動することにより記録動作を行うように構成された光ディスク記録再生装置において、レーザー出力の設定動作を消去レベル値を固定した状態でピークレベル値を変更することによって行うようにしたことを特徴とする光ディスク記録再生装置のレーザー出力設定方法。
【請求項２】
記録品位の検出動作により記録動作に適したピークレベル値を設定した後消去レベル値及びボトムレベル値を設定するようにしたことを特徴とする請求項１に記載のレーザー出力設定方法。
【請求項３】
記録品位の検出動作を再生信号のエラー数に基づいて行うようにしたことを特徴とする請求項１に記載のレーザー出力設定方法。
【請求項４】
記録品位の検出動作をβ値に基づいて行うようにしたことを特徴とする請求項１に記載のレーザー出力設定方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置に関する。
【背景技術】
【０００２】
光学式ピックアップを用いてディスクに記録されている信号の読み出し動作を行う光ディスク再生装置が普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置としては、ディスクへの上書きによる書き換えが可能なオーバーライトと呼ばれる方式が一般的であり、ＣＤ方式の記録ディスクを使用するＣＤ−ＲＷ型の記録再生装置が広く普及している。斯かるオーバーライト方式の光ディスク記録再生装置では、光学式ピックアップに組み込まれているレーザーダイオードを図２示す消去レベル値Ｅ、ピークレベル値Ｐ及びボトムレベル値Ｂより成るマルチパルスと呼ばれるパルス信号にて点灯駆動して信号をディスクに記録するように構成されている。
【０００４】
斯かるマルチパルス波形のパルス信号にてレーザーダイオードを点灯駆動させることによってディスクに信号を記録する光ディスク記録再生装置では、消去レベル値Ｅ、ピークレベル値Ｐ及びボトムレベル値Ｂを正確に制御してディスクに高品質な記録動作を行う技術が開発されている(例えば、特許文献１参照。)。
【特許文献１】特開２００１−３４９８７号公報
【発明の開示】
【発明が解決しようとする課題】
【０００５】
マルチパルス波形のパルス信号にてレーザーダイオードを駆動することによってディスクへの信号の記録動作を行う光ディスク記録再生装置においては、ボトムレベル値Ｂからピークレベル値Ｐまでの値ＢＰとボトムレベル値Ｂから消去レベル値Ｅまでの値ＢＥとの比率(ＢＥ／ＢＰ)であるε値の調整が必要であり、このε値はディスク固有であるとともに記録速度に応じて決定される。
【０００６】
ＣＤ−ＲＷ装置の場合、ε値は通常ディスクのレーザー出力を調整する前に決定されるが、この値はディスクに記録されているディスク特性を表すデータ情報を抽出することによって設定される。
【０００７】
また、光ディスク記録再生装置では、ディスクの内周側に設けられている試し書き領域へテスト信号をレーザー出力を変更しながら記録するとともに記録されたテスト信号の記録品位を検出することによって記録動作に適したレーザー出力を設定するように構成されている。そして、この場合に前述したε値をディスク特性に合致させるべく消去レベル値Ｅ、ピークレベル値Ｐ及びボトムレベル値の各値を制御しながらレーザー出力を変更する制御動作を行うため、レーザー出力の調整処理動作が複雑になり、調整時間が長くなるという問題がある。
【０００８】
本発明は、斯かる問題を解決することが出来るレーザー出力の設定方法を提供しようとするものである。
【課題を解決するための手段】
【０００９】
本発明は、ディスクに設けられている試し書き領域へテスト信号をレーザー出力を変更しながら記録するとともに記録されたテスト信号の記録品位を検出することにより記録動作に適したレーザー出力を設定し、且つ消去レベル値、ピークレベル値及びボトムレベル値よりなるマルチパルスにてレーザーダイオードを駆動することにより記録動作を行うように構成された光ディスク記録再生装置において、レーザー出力の設定動作を消去レベル値を固定した状態でピークレベル値を変更することによって行うように構成されている。
【発明の効果】
【００１０】
本発明のレーザー出力設定方法によれば消去レベル値、ピークレベル値及びボトムレベル値よりなるマルチパルスにて信号の記録動作を行う光ディスク記録再生装置において、レーザー出力の調整を行う場合に消去レベルを固定した状態でピークレベル値を変更することによってテスト信号の記録動作を行うようにしたので、レーザー出力の調整動作を速やかに行うことが出来る。
【００１１】
また、本発明は、記録品位の検出動作を再生信号のエラー数に基づいて行うようにしたので、即ち光ディスク記録再生装置が備えているエラー訂正機能を利用することが出来るので、特別な手段を設けることなく光ディスク記録再生装置に組み込むことが出来る。
【００１２】
そして、本発明は、記録品位の検出動作をβ値に基づいて行うようにしたので、記録品位の検出を正確に行うことが出来る。
【発明を実施するための最良の形態】
【００１３】
本発明は、レーザー出力の調整動作をレーザーダイオードに供給される駆動信号であるマルチパルスを構成するピークレベル値を変更するという簡単な制御動作によって行うものである。
【実施例１】
【００１４】
図１は本発明に係る光ディスク記録再生装置の一実施例を示す回路図、図２は本発明に使用されるレーザー駆動パルス信号の波形図、図３は本発明の動作を説明するための波形図である。
【００１５】
図１において、１は光学式ピックアップに組み込まれているとともにレーザー光を照射するレーザーダイオードであり、レーザー駆動回路２から供給される電流によって駆動されるように接続されている。３は前記レーザーダイオード１より照射され、ディスクから反射されたレーザー光を受光する光検出器であり、レーザー光を電気信号に変換する作用を有する。
【００１６】
４は前記光検出器３にて電気信号に変換されたＲＦ信号(高周波信号)が入力されるとともに該信号を増幅するRF信号増幅回路であり、２値化した信号を出力する２値化回路が組み込まれている。図２は、レーザーダイオード１に供給されるレーザー駆動パルスの波形を示すものであり、ピークレベル値Ｐとボトムレベル値との間で変化するパルス信号が供給されている期間がディスクに信号を記録している記録期間を示し、消去レベル値Ｅの信号が供給されている期間が消去期間を示す。即ち、記録期間でディスクへの信号の記録動作が行われ、消去期間では信号の消去動作が行われることになる。
【００１７】
５は前記ＲＦ信号増幅回路４より出力されるデジタル信号が入力されるとともに各種信号の復調動作を行うデジタル信号処理回路であり、再生される信号のエラー訂正動作やエラー数を表す信号を生成出力するように構成されている。６は前記デジタル信号処理回路
５により復調された信号が入力されるとともに光ディスク記録再生装置の各種の制御動作を行う制御回路である。
【００１８】
７は前記制御回路６によって動作が制御されるピークレベル信号出力回路であり、ディスクに信号を記録するピークレベル値Ｐの信号をレーザー駆動回路２より出力させる信号を出力するように設定されている。８は前記制御回路６によって動作が制御されるボトムレベル信号出力回路であり、ボトムレベル値Ｂの信号をレーザー駆動回路２より出力させる信号を出力するように設定されている。９は前記制御回路６によって動作が制御される消去レベル信号出力回路であり、消去レベル値Ｅの信号をレーザー駆動回路２より出力させる信号を出力するように設定されている。
【００１９】
１０は前記ピークレベル信号出力回路７、ボトムレベル信号出力回路８及び消去レベル信号出力回路９の出力信号が入力される加算回路であり、前記制御回路６による制御動作によって入力される信号の選択加算動作を行い、その選択加算された信号を前記レーザー駆動回路２に供給するように構成されている。
【００２０】
１１は前記デジタル信号処理回路５より出力されるエラー数を表す信号に基づいて再生される信号の品位、即ちディスクに記録されている信号の記録品位を検出する記録品位検出回路である。
【００２１】
斯かる構成において、ディスクに設けられている信号記録領域に信号を記録している状態では、レーザーダイオード１より照射されるレーザー光はディスクから反射されて光検出器３によって受光され、その出力に応じたＲＦ信号が出力される状態にある。そして、消去期間に得られるＲＦ信号のサンプリング動作を行い、そのサンプリングされた消去期間のＲＦ信号のレベルが一定になるように消去レベル信号出力回路９に対するサーボ動作を行うことによってマルチパルスを構成する消去レベル値Ｅの制御動作を行い、この消去レベル値Ｅに対してディスクの特性に合わせて設定されているε値に基づいてピークレベル値Ｐ及びボトムレベル値Ｂを制御することによってレーザー出力の自動調整動作を行うように構成されている。斯かるサンプリング動作やサーボ動作は、周知のサンプリング回路やサーボ回路を利用することによって行うことが出来るのでその詳細については省略する。
【００２２】
以上に説明したように本発明に係る光ディスク記録再生装置は構成されているが、次に本発明の要旨であるレーザー出力の設定方法について説明する。ディスクに設けられているプリグルーブより得られるＡＴＩＰ信号に基づいてディスクの特性を表すデータ情報を抽出し、その抽出されたデータ情報からディスクの記録特性に合わせて設定されている消去レベル値Ｅ、ピークレベル値Ｐ、ボトムレベル値Ｂ及びε値を認識する。
【００２３】
斯かる設定動作が行われると、光学式ピックアップをディスクの内周側に設けられている試し書き領域に移動させるとともにレーザー出力を変更させながらテスト信号の記録動作を該試し書き領域に対して行う。本発明では、レーザー出力の変更動作を消去レベル値Ｅは固定したままピークレベル値Ｐを変更することによって行うように構成されている。即ち、従来の技術では、消去レベル値Ｅだけでなくε値に基づいてピークレベル値Ｐ及びボトムレベル値Ｂを修正変更しながらテスト信号を記録するように構成されていたが、本発明では、ピークレベル値Ｐを変更することによってテスト信号の記録動作を行う。
【００２４】
前もって設定されているピークレベル値Ｐの変更動作を行うことによりテスト信号の記録動作が終了すると、光学式ピックアップをテスト信号の記録動作を開始した位置まで移動させた後該テスト信号の再生動作を行い、その再生される信号の記録品位を記録品位検出回路１１により検出する動作が行われる。そして、本実施例では、記録品位検出回路１
１により記録品位の検出動作を再生信号に含まれるエラー数によって行うように構成されている。
【００２５】
前述した動作によって試し書き領域に記録されたテスト信号を再生し、その再生信号にエラーがあればデジタル信号処理回路５に組み込まれているエラー訂正回路によるエラー訂正動作が行われることになる。そして、記録品位検出回路１１では、前記エラー訂正回路によって訂正されるエラーの数をピークレベル値Ｐを変化させて記録された信号に対応させてカウントし、そのカウント数の変化を検出することによって記録動作に適したピークレベル値Ｐを設定することが出来る。
【００２６】
レーザーダイオード１に供給される駆動信号であるマルチパルスのピークレベル値Ｐの値を段階的に変更しながらテスト信号を記録し、その記録されたテスト信号の再生動作を行い、各ピークレベル値Ｐに対応して記録されたテスト信号の再生信号に対して行われるエラー訂正動作の回数をカウントすると、カウント数は多い数から次第に減少し、ある点より次第に増加することになる。そして、このエラー数が減少から増加に変化する直前が最もエラー訂正の数が少ない再生信号であり、この信号を記録したピークレベル値Ｐが使用するディスクに信号を記録するために最も適したピークレベル値Ｐとなる。
【００２７】
このようにしてマルチパルスを構成するピークレベル値Ｐが設定されると、該ピークレベル値Ｐを基準としてディスクの記録特性に適したε値に基づいて消去レベル値Ｅ及びボトムレベル値Ｂを設定して記録動作を行うために適したマルチパルス駆動信号を生成するようにピークレベル信号出力回路７、ボトムレベル信号出力回路８及び消去レベル信号出力回路９に対する制御動作が行われる。
【００２８】
前述したようにレーザーダイオード１を駆動するために適したレーザー駆動信号の生成制御動作は行われるが、入力される記録信号に応じて加算回路１０の選択加算制御動作を制御回路６が行い、その選択加算制御された信号がレーザー駆動回路２に供給される。その結果、レーザー駆動回路２から図２に示す波形、即ちピークレベル値Ｐとボトムレベル値Ｂより成るパルス波形の駆動信号が記録期間にレーザーダイオード１に供給され、消去レベル値Ｂの駆動信号が消去期間にレーザーダイオード１に供給される。そして、斯かるパルス波形のレーザー駆動信号が出力される記録期間及び消去期間は、記録信号の長さに応じて変化せしめられることになる。
【００２９】
前述した実施例における記録品位検出回路１１による検出動作は、再生信号に含まれるエラー数を検出することによって行うようにしたが、β値にて記録品位を検出することも出来る。ここで、β値について説明する。図３はディスクに記録されている信号を再生したＲＦ信号の波形図であり、Ａ１及びＡ２は各々プラス側のピークレベル及びマイナス側のピークレベルである。
【００３０】
斯かる条件において、β値は、β＝（Ａ１＋Ａ２）／（Ａ１−Ａ２）と表され、このβ値の値が規定値のとき、最適なレーザー出力にて信号が記録されるとディスクの規格によって設定されている。従って、試し書き領域に記録されたテスト信号のβ値を検出することによって記録品位の検出動作を行うことが出来る。また、ＲＦ信号の振幅値が前もって設定されている最適値にあるか否かを検出することによって記録品位の判定を行うようにすることも出来る。
【図面の簡単な説明】
【００３１】
【図１】本発明に係る光ディスク記録再生装置の一実施例を示す回路図である。
【図２】本発明に使用されるレーザー駆動パルス信号の波形図である。
【図３】本発明の動作を説明するための波形図である。
【符号の説明】
【００３２】
１        レーザーダイオード
２        レーザー駆動回路
３        光検出器
４        ＲＦ信号増幅回路
６        制御回路
７        ピークレベル信号出力回路
８        ボトムレベル信号出力回路
９        消去レベル信号出力回路
１０        加算回路
１１        記録品位検出回路
【図１】
2005038543.tif 000003
【図２】
2005038543.tif 000004
【図３】
2005038543.tif 000005